(57)【要約】  【課題】本発明は、電力の浪費を抑えつつ、複数視聴者に対して各々異なる映像を同時表示することが可能なディスプレイを提供することを目的とする。  【解決手段】本発明に係るディスプレイにおいて、第１画素ａ11〜ａmnにソース信号を供給する第１ソース線駆動回路２ａと、第２画素ｂ11〜ｂmnにソース信号を供給する第２ソース線駆動回路２ｂの少なくとも一方は、スタートパルスＸＳＰをクロック信号ＸＳＣでシフトさせてサンプリングパルスＰ１〜Ｐｍを生成するシフトレジスタ２１と、サンプリングパルスＰ１〜Ｐｍに応じて映像信号ＶＳをサンプリングするサンプリング回路２４と、２値の切換信号ＳＬＴに応じてシフトレジスタ２１に対するクロック信号ＸＳＣの入力可否を制御するスイッチ２６と、を有して成り、サンプリング回路２４の出力信号を用いて第１、第２画素ａ11〜ａmn、ｂ11〜ｂmnを駆動する構成としている。【選択図】      図２
2005249985.tif 000002
【特許請求の範囲】
【請求項１】
第１視覚方向用の映像光を出力する第１画素と第２視覚方向用の映像光を出力する第２画素とから成る表示パネルと、第１画素を駆動する第１駆動回路と、第２画素を駆動する第２駆動回路と、前記表示パネルの前面に配置されて第１、第２画素から出力される映像光を各々第１、第２視覚方向に対応して分離する光学分離部と、を有して成るディスプレイにおいて、
第１、第２駆動回路の少なくとも一方は、スタートパルスをクロック信号でシフトさせてサンプリングパルスを生成するシフトレジスタと、前記サンプリングパルスに応じて映像信号をサンプリングするサンプリング回路と、切換信号に応じて前記シフトレジスタに対する前記クロック信号の入力可否を制御するスイッチと、を有して成り、前記サンプリング回路の出力信号を用いて第１、第２画素を駆動することを特徴とするディスプレイ。
【請求項２】
第１視覚方向用の映像光を出力する第１画素と第２視覚方向用の映像光を出力する第２画素とから成る表示パネルと、第１画素を駆動する第１駆動回路と、第２画素を駆動する第２駆動回路と、前記表示パネルの前面に配置されて第１、第２画素から出力される映像光を各々第１、第２視覚方向に対応して分離する光学分離部と、を有して成るディスプレイにおいて、
第１、第２駆動回路の少なくとも一方は、スタートパルスをクロック信号でシフトさせてサンプリングパルスを生成するシフトレジスタと、前記サンプリングパルスに応じて映像信号をサンプリングするサンプリング回路と、切換信号に応じて前記シフトレジスタに対する前記スタートパルスの入力可否を制御するスイッチとを有して成り、前記サンプリング回路の出力信号を用いて第１、第２画素を駆動することを特徴とするディスプレイ。
【請求項３】
第１、第２駆動回路の少なくとも一方は、前記サンプリングパルスと前記切換信号との論理和信号を生成する論理ゲート回路と、前記切換信号に応じて前記映像信号と非表示用信号のいずれか一方を前記サンプリング回路に送出するセレクタと、を有して成り、前記サンプリング回路は、前記論理和信号に応じて前記セレクタの出力信号をサンプリングすることを特徴とする請求項１または請求項２に記載のディスプレイ。
【請求項４】
前記表示パネルは、第１駆動回路の出力信号が供給される第１ソース線と、第２駆動回路の出力信号が供給される第２ソース線と、第１、第２ソース線と交差するゲート線と、ソースが第１、第２ソース線のいずれかに接続され、ゲートが前記ゲート線に接続され、ドレインが絵素電極に接続されたアクティブ素子と、を複数有して成るアクティブマトリクス型であることを特徴とする請求項１〜３のいずれかに記載のディスプレイ。
【請求項５】
第１、第２画素は、各々複数の絵素に分割されており、前記セレクタは、分割された複数の絵素に対応して複数入力される映像信号と非表示用信号のいずれか一方を前記サンプリング回路に送出することを特徴とする請求項１〜４のいずれかに記載のディスプレイ。
【発明の詳細な説明】
【技術分野】
【０００１】
本発明は、情報表示手段であるディスプレイに関するものであり、特に、異なる方向から見た場合に異なる映像が現れるデュアル・ビュー・ディスプレイに関する。
【背景技術】
【０００２】
従来より、単一のディスプレイを複数の視聴者で共有すべく、ディスプレイの回転角度に応じて表示する映像信号を切り換える技術（特許文献１を参照）や、車載用ディスプレイを自動車フロントガラスの中央付近に天井から吊り下げることでいずれの座席からも高い視認性を確保する技術（特許文献２を参照）が種々開示・提案されている。
【０００３】
しかしながら、上記文献に記載されているディスプレイでは、複数視聴者の要求する情報が各自に異なる場合、各々に対して同時に情報提供を行うことができなかった。
【０００４】
そこで、従来より、カーナビゲーションシステム等に用いられる車載用ディスプレイ等においては、運転席側の視聴者と助手席側の視聴者が１つのディスプレイを異なる方向から見ることに鑑み、第１視覚方向用の映像光を出力する第１画素と第２視覚方向用の映像光を出力する第２画素とから成る表示パネルと、該表示パネルの前面に配置されて第１、第２画素から出力される映像光を各々第１、第２視覚方向に対応して分離する光学分離部と、を有して成り、複数視聴者に対して各々異なる映像を同時表示することが可能なデュアル・ビュー・ディスプレイが開示・提案されている（例えば、特許文献３を参照）。
【０００５】
なお、上記に関連する従来技術としては、左眼用と右眼用の映像光を交互に出力する映像表示手段と、各映像光を左右の眼に対応して分離する光学分離手段と、を有して成る立体映像表示装置が種々開示・提案されている（例えば、特許文献４を参照）。
【特許文献１】特開平２−１４４２４２号公報
【特許文献２】登録実用新案第３０４５４４３号
【特許文献３】特開２００３−７６２８９号公報
【特許文献４】特開２００３−２９５１１３号公報
【発明の開示】
【発明が解決しようとする課題】
【０００６】
確かに、上記構成から成るデュアル・ビュー・ディスプレイであれば、複数視聴者に対して各々異なる映像を同時表示することができるので、単一ディスプレイの共有性を高めることが可能である。
【０００７】
しかしながら、従来のデュアル・ビュー・ディスプレイは、表示パネルの駆動制御に際して、複数方向に映像を出力する必要があるか否かを考慮することなく、常に、第１視覚方向用の映像光を出力する第１画素と第２視覚方向用の映像光を出力する第２画素とを駆動する構成とされていた。そのため、当該ディスプレイを一方向からしか見ない場合には電力が浪費される、という課題があった。
【０００８】
本発明は、上記の問題点に鑑み、電力の浪費を抑えつつ、複数視聴者に対して各々異なる映像を同時表示することが可能なディスプレイを提供することを目的とする。
【課題を解決するための手段】
【０００９】
上記目的を達成すべく、本発明に係るディスプレイは、第１視覚方向用の映像光を出力する第１画素と第２視覚方向用の映像光を出力する第２画素とから成る表示パネルと、第１画素を駆動する第１駆動回路と、第２画素を駆動する第２駆動回路と、前記表示パネルの前面に配置されて第１、第２画素から出力される映像光を各々第１、第２視覚方向に対応して分離する光学分離部と、を有して成るディスプレイにおいて、第１、第２駆動回路の少なくとも一方は、スタートパルスをクロック信号でシフトさせてサンプリングパルスを生成するシフトレジスタと、前記サンプリングパルスに応じて映像信号をサンプリングするサンプリング回路と、切換信号に応じて前記シフトレジスタに対する前記クロック信号の入力可否を制御するスイッチと、を有して成り、前記サンプリング回路の出力信号を用いて第１、第２画素を駆動する構成としている。
【００１０】
また、本発明に係るディスプレイは、第１視覚方向用の映像光を出力する第１画素と第２視覚方向用の映像光を出力する第２画素とから成る表示パネルと、第１画素を駆動する第１駆動回路と、第２画素を駆動する第２駆動回路と、前記表示パネルの前面に配置されて第１、第２画素から出力される映像光を各々第１、第２視覚方向に対応して分離する光学分離部と、を有して成るディスプレイにおいて、第１、第２駆動回路の少なくとも一方は、スタートパルスをクロック信号でシフトさせてサンプリングパルスを生成するシフトレジスタと、前記サンプリングパルスに応じて映像信号をサンプリングするサンプリング回路と、切換信号に応じて前記シフトレジスタに対する前記スタートパルスの入力可否を制御するスイッチと、を有して成り、前記サンプリング回路の出力信号を用いて、第１、第２画素を駆動する構成としてもよい。
【００１１】
このような構成とすることにより、ディスプレイを一方向からしか見ない場合、或いはいずれの方向からも見ない場合に、第１駆動回路及び／または第２駆動回路を構成するシフトレジスタでの不要なサンプリングパルス生成を停止させることができるので、電力の浪費を抑えつつ、複数視聴者に対して各々異なる映像を同時表示することが可能となる。
【００１２】
なお、上記の構成から成るディスプレイにおいて、第１、第２駆動回路の少なくとも一方は、前記サンプリングパルスと前記切換信号との論理和信号を生成する論理ゲート回路と、前記切換信号に応じて前記映像信号と非表示用信号のいずれか一方を前記サンプリング回路に送出するセレクタと、を有して成り、前記サンプリング回路は、前記論理和信号に応じて前記セレクタの出力信号をサンプリングする構成にするとよい。このような構成とすることにより、第１、第２画素のいずれか一方を通常駆動状態とし、他方を非駆動状態とする場合であっても、非駆動画素に対応するソース線の電位レベルが不安定な状態となることはないので、その表示に対する悪影響を回避することが可能となる。
【００１３】
また、上記構成から成るディスプレイにおいて、前記表示パネルは、第１駆動回路の出力信号が供給される第１ソース線と、第２駆動回路の出力信号が供給される第２ソース線と、第１、第２ソース線と交差するゲート線と、ソースが第１、第２ソース線のいずれかに接続され、ゲートが前記ゲート線に接続され、ドレインが絵素電極に接続されたアクティブ素子と、を複数有して成るアクティブマトリクス型である構成にするとよい。このような構成とすることにより、表示パネルとして単純マトリクス型を用いた場合に比べて、個々の画素を確実に点灯させることができるので、クリアで応答速度の高いディスプレイ画面を実現することが可能となる。
【００１４】
また、上記構成から成るディスプレイにおいて、第１、第２画素は、各々複数の絵素に分割されており、前記セレクタは、分割された複数の絵素に対応して複数入力される映像信号と非表示用信号のいずれか一方をサンプリング回路に送出する構成にするとよい。このような構成とすることにより、表示パネルの精細度を向上し、ディスプレイ画面の表現力を高めることが可能となる。
【発明の効果】
【００１５】
上記したように、本発明に係るディスプレイであれば、電力の浪費を抑えつつ、複数視聴者に対して各々異なる映像を同時表示することが可能となる。
【発明を実施するための最良の形態】
【００１６】
図１は本発明に係るデュアル・ビュー・ディスプレイの概略構成図である。本図に示す通り、本発明に係るディスプレイは、第１視覚方向用の映像光（視聴者Ｖ１用の映像光）を出力する第１画素ａと第２視覚方向用の映像光（視聴者Ｖ２用の映像光）を出力する第２画素ｂとから成る表示パネル１と、第１画素ａにソース信号を供給する第１ソース線駆動回路２ａと、第２画素ｂにソース信号を供給する第２ソース線駆動回路２ｂと、第１、第２画素ａ、ｂにゲート信号を供給するゲート線駆動回路３と、表示パネル１の前面に配置されて第１、第２画素ａ、ｂから出力される映像光を各々第１、第２視覚方向に対応して分離する光学分離部４（本実施形態ではスリット）と、を有して成る。
【００１７】
上記構成から成るディスプレイにおいて、第１視覚方向（視聴者Ｖ１の存在する方向）には、第１画素ａから出力された映像光のみが透過され、第２画素ｂから出力された映像光は遮断される。一方、第２視覚方向（視聴者Ｖ２が存在する方向）には、第２画素ｂから出力された映像光のみが透過され、第１画素ａから出力された映像光は遮断される。従って、視聴者Ｖ１、Ｖ２は、各々異なる映像を同時に見ることが可能となる。
【００１８】
ここで、上記構成から成るディスプレイは、第１、第２ソース線駆動回路２ａ、２ｂの内部構成に特徴部分（従来構成との差違点）を有して成る。そこで、以下では、図２〜図４を参照しながら、第１、第２ソース線駆動回路２ａ、２ｂの内部構成について、詳細な説明を行うことにする。
【００１９】
図２は、第１ソース線駆動回路２ａの第１実施形態を示す回路図である。なお、第２ソース線駆動回路２ｂも同様の構成から成るため、その説明については省略する。
【００２０】
本図に示す通り、本実施形態の第１ソース線駆動回路２ａは、スタートパルスＸＳＰをクロック信号ＸＳＣでシフトさせてサンプリングパルスＰ１〜Ｐｍを生成するシフトレジスタ２１と、サンプリングパルスＰ１〜Ｐｍと２値（ハイレベル／ローレベル）の切換信号ＳＬＴとの論理和信号を生成する論理ゲート回路２２と、切換信号ＳＬＴに応じて映像信号ＶＳ（通常の画像表示を行うためのアナログ信号）と非表示用信号ＮＤ（本実施形態では黒信号）のいずれか一方を送出するセレクタ２３と、前記論理和信号に応じてセレクタ２３の出力信号をサンプリングするサンプリング回路２４と、出力用パルスＯＥに応じてサンプリング回路２４の出力信号を保持するホールド回路２５と、切換信号ＳＬＴに応じてシフトレジスタ２１に対するクロック信号ＸＳＣの入力可否を制御するスイッチ２６と、を有して成り、ホールド回路２５で保持されたサンプリング回路２４の出力信号を用いて第１画素ａ11〜ａmnを駆動する構成としている。
【００２１】
論理ゲート回路２２は、一入力端にサンプリングパルスＰ１〜Ｐｍが供給され、他入力端に切換信号ＳＬＴが供給されるｍ個の論理和回路ＯＲ１〜ＯＲｍから構成されている。
【００２２】
サンプリング回路２４は、入力端がセレクタ２３の出力端に接続され、前記論理和信号に応じて開閉制御されるアナログスイッチＳ１１〜Ｓ１ｍと、該アナログスイッチＳ１１〜Ｓ１ｍの出力端と共通電極（例えば接地電極）との間に接続されたサンプリングコンデンサＣ１１〜Ｃ１ｍと、同じくアナログスイッチＳ１１〜Ｓ１ｍの出力端に接続されたバッファＢ１１〜Ｂ１ｍと、を有して成る。
【００２３】
ホールド回路２５は、入力端がバッファＢ１１〜Ｂ１ｍの出力端に接続され、出力用パルスＯＥに応じて開閉制御されるアナログスイッチＳ２１〜Ｓ２ｍと、該アナログスイッチＳ２１〜Ｓ２ｍの出力端と共通電極（例えば接地電極）との間に接続されたホールドコンデンサＣ２１〜Ｃ２ｍと、同じくアナログスイッチＳ２１〜Ｓ２ｍの出力端に接続されたバッファＢ２１〜Ｂ２ｍと、を有して成る。
【００２４】
一方、本実施形態のディスプレイでは、表示パネル１として、アクティブマトリクス型パネル（例えばＴＦＴ［Thin Film Transistor］液晶パネル）を用いている。具体的に述べると、表示パネル１は、第１ソース線駆動回路２ａの出力信号（ホールド回路２５の出力信号）が供給されるｍ本の第１ソース線Ｘａ１〜Ｘａｍと、第２ソース線駆動回路２ｂの出力信号が供給されるｍ本の第２ソース線Ｘｂ１〜Ｘｂｍと、第１、第２ソース線と交差するｎ本のゲート線Ｙ１〜Ｙｎと、を有して成る。
【００２５】
第１ソース線Ｘａ１〜Ｘａｍとゲート線Ｙ１〜Ｙｎの各交点近傍には、（ｍ×ｎ）個の第１画素ａ11〜ａmnが形成されており、第２ソース線Ｘｂ１〜Ｘｂｍとゲート線Ｙ１〜Ｙｎの各交点近傍には、（ｍ×ｎ）個の第２画素ｂ11〜ｂmnが形成されている。第１画素ａ11〜ａmnは、ソースが第１ソース線Ｘａ１〜Ｘａｍに接続され、ゲートがゲート線Ｙ１〜Ｙｎに接続され、ドレインが絵素電極に接続されたアクティブ素子を各々有して成る。また、第２画素ｂ11〜ｂmnは、ソースが第２ソース線Ｘｂ１〜Ｘｂｍに接続され、ゲートがゲート線Ｙ１〜Ｙｎに接続され、ドレインが絵素電極に接続されたアクティブ素子を各々有して成る。
【００２６】
このように、表示パネル１としてアクティブマトリクス型パネルを用いることにより、単純マトリクス型を用いた場合に比べて、個々の画素を確実に点灯させることができ、クリアで応答速度の高いディスプレイ画面を実現することが可能となる。
【００２７】
上記構成から成る第１ソース線駆動回路２ａの動作について、まず、第１画素ａ11〜ａmnを通常駆動状態とする場合について詳細に説明する。
【００２８】
この場合、切換信号ＳＬＴの信号レベルはローレベルに変遷される。これにより、スイッチ２６は閉結され、シフトレジスタ２１に対するクロック信号ＸＳＣの入力が許可される。従って、シフトレジスタ２１ではサンプリングパルスＰ１〜Ｐｍの生成が行われる。なお、切換信号ＳＬＴの信号レベルがローレベルに変遷されている場合、論理和回路ＯＲ１〜ＯＲｍの出力信号は、シフトレジスタ２１で得られたサンプリングパルスＰ１〜Ｐｍそのものとなる。また、セレクタ２３では、切換信号ＳＬＴに応じて、映像信号ＶＳがサンプリング回路２４に選択出力される。
【００２９】
従って、第１画素ａ11〜ａmnを通常駆動状態とする場合には、サンプリングパルスＰ１〜Ｐｍがサンプリング回路２４のアナログスイッチＳ１１〜Ｓ１ｍに供給され、該アナログスイッチＳ１１〜Ｓ１ｍが順次導通状態とされる。これにより、サンプリングコンデンサＣ１１〜Ｃ１ｍには、映像信号ＶＳの瞬時振幅が順次充電されることになる。
【００３０】
上記のようにして、サンプリングコンデンサＣ１１〜Ｃ１ｍへの順次充電が完了し、１水平走査期間の映像信号ＶＳがサンプリングパルスＰ１〜Ｐｍによってサンプリングされると、ホールド回路２５に出力用パルスＯＥが供給される。その結果、ホールド回路２５のアナログスイッチＳ２１〜Ｓ２ｍが一斉に閉結され、サンプリングコンデンサＣ１１〜Ｃ１ｍに充電された映像信号ＶＳは、バッファＢ１１〜Ｂ１ｍを介して、ホールドコンデンサＣ２１〜Ｃ２ｍに転送され、保持されることになる。ホールドコンデンサＣ２１〜Ｃ２ｍに保持された映像信号ＶＳは、バッファＢ２１〜Ｂ２ｍを介して、各々に対応する第１ソース線Ｘａ１〜Ｘａｍに供給される。
【００３１】
一方、ゲート線駆動回路３は、映像信号ＶＳの水平同期信号に同期した走査信号をゲート線Ｙ１〜Ｙｎに供給し、同一ゲート線に接続される画素を線単位で導通状態にする。
【００３２】
上記動作により、表示パネル１では、第１画素ａ11〜ａmnが通常駆動状態とされ、第１視覚方向用の映像光（視聴者Ｖ１用の映像光）が出力される。
【００３３】
次に、第１画素ａ11〜ａmnを非駆動状態とする場合（すなわち、ディスプレイを第２視覚方向からしか見ない場合、或いは、いずれの方向からも見ない場合）について詳細に説明する。
【００３４】
この場合、切換信号ＳＬＴの信号レベルはハイレベルに変遷される。これにより、スイッチ２６は開放され、シフトレジスタ２１に対するクロック信号ＸＳＣの入力が禁止される。なお、切換信号ＳＬＴの信号レベルがハイレベルに変遷されている場合、論理和回路ＯＲ１〜ＯＲｍの出力信号は、シフトレジスタ２１の出力信号に依らず、常にハイレベルとなる。従って、第１画素ａ11〜ａmnを非駆動状態とする場合には、全てのアナログスイッチＳ１１〜Ｓ１ｍがオンとされる。また、セレクタ２３では、切換信号ＳＬＴに応じて、非表示用信号ＮＤがサンプリング回路２４に選択出力される。これにより、サンプリングコンデンサＣ１１〜Ｃ１ｍには、非表示用信号ＮＤが充電されることになる。
【００３５】
上記のようにして、サンプリングコンデンサＣ１１〜Ｃ１ｍへの充電が完了されると、ホールド回路２５に出力用パルスＯＥが供給される。その結果、ホールド回路２５のアナログスイッチＳ２１〜Ｓ２ｍが一斉に閉結され、サンプリングコンデンサＣ１１〜Ｃ１ｍに充電された非表示用信号ＮＤは、バッファＢ１１〜Ｂ１ｍを介して、ホールドコンデンサＣ２１〜Ｃ２ｍに転送され、保持されることになる。ホールドコンデンサＣ２１〜Ｃ２ｍに保持された非表示用信号ＮＤは、バッファＢ２１〜Ｂ２ｍを介して、各々に対応する第１ソース線Ｘａ１〜Ｘａｍに供給される。
【００３６】
一方、ゲート線駆動回路３は、映像信号ＶＳの水平同期信号に同期した走査信号をゲート線Ｙ１〜Ｙｎに供給し、同一ゲート線に接続される画素を線単位で導通状態にする。
【００３７】
上記の動作により、表示パネル１では、第１画素ａ11〜ａmnが非駆動状態とされ、第１視覚方向には黒表示のみが行われることになる。
【００３８】
上記したように、本実施形態のディスプレイでは、第１画素ａ11〜ａmnにソース信号を供給する第１ソース線駆動回路２ａと、第２画素ｂ11〜ｂmnにソース信号を供給する第２ソース線駆動回路２ｂの少なくとも一方は、スタートパルスＸＳＰをクロック信号ＸＳＣでシフトさせてサンプリングパルスＰ１〜Ｐｍを生成するシフトレジスタ２１と、サンプリングパルスＰ１〜Ｐｍに応じて映像信号ＶＳをサンプリングするサンプリング回路２４と、２値の切換信号ＳＬＴに応じてシフトレジスタ２１に対するクロック信号ＸＳＣの入力可否を制御するスイッチ２６と、を有して成り、サンプリング回路２４の出力信号を用いて第１、第２画素ａ11〜ａmn、ｂ11〜ｂmnを駆動する構成としている。
【００３９】
このような構成とすることにより、ディスプレイを一方向からしか見ない場合、或いはいずれの方向からも見ない場合に、第１ソース線駆動回路２ａ及び／または第２ソース線駆動回路２ｂを構成するシフトレジスタ２１での不要なサンプリングパルス生成を停止させることができるので、電力の浪費を抑えつつ、複数視聴者に対して各々異なる映像を同時表示することが可能となる。
【００４０】
ただし、上記構成から成るディスプレイにおいて、第１、第２画素ａ11〜ａmn、ｂ11〜ｂmnのいずれか一方を通常駆動状態とし、他方を非駆動状態とする場合、非駆動状態とされた画素にも何らかの電位を与えておかないと、当該非駆動画素に対応するソース線Ｙ１〜Ｙｎの電位レベルが不安定な状態となって、その表示に悪影響（アクティブ素子のオン／オフ誤動作や、アクティブ素子がオフ状態とされている画素へのリーク電流による表示品位の劣化等）を及ぼす恐れがある。
【００４１】
そこで、本実施形態のディスプレイでは、上記の問題点に鑑み、第１、第２ソース線駆動回路２ａ、２ｂの少なくとも一方は、サンプリングパルスＰ１〜Ｐｍと切換信号ＳＬＴとの論理和信号を生成する論理ゲート回路２２と、切換信号ＳＬＴに応じて映像信号ＶＳと非表示用信号ＮＤのいずれか一方をサンプリング回路２４に送出するセレクタ２３と、を有して成り、サンプリング回路２４は前記論理和信号に応じてセレクタ２３の出力信号をサンプリングする構成としている。
【００４２】
このような構成とすることにより、第１、第２画素ａ11〜ａmn、ｂ11〜ｂmnのいずれか一方を通常駆動状態とし、他方を非駆動状態とする場合であっても、非駆動画素に対応するソース線Ｙ１〜Ｙｎの電位レベルが不安定な状態となることはないので、その表示に対する悪影響を回避することが可能となる。
【００４３】
なお、本実施形態では、非表示用信号ＮＤとして黒信号を供給する場合を例に挙げて説明を行ったが、本発明の構成はこれに限定されるものではなく、他の信号（白信号など）を供給する構成としても構わない。ただし、第１、第２ソース線駆動回路２ａ、２ｂと第１、第２画素ａ11〜ａmn、ｂ11〜ｂmnがハイインピーダンス状態とならないようにするには、非表示用信号ＮＤとして所定レベル以上の電圧信号を供給することが望ましい。
【００４４】
また、本実施形態では、切換信号ＳＬＴに応じてシフトレジスタ２１に対するクロック信号ＸＳＣの入力可否を制御するスイッチ２６を設けた構成と例示して説明を行ったが、本発明の構成はこれに限定されるものではなく、図３に示すように、切換信号ＳＬＴに応じてシフトレジスタ２１に対するスタートパルスＸＳＰの入力可否を制御するスイッチ２７を設けた構成としても、上記と同様の効果を奏することが可能である。
【００４５】
また、本実施形態では、第１、第２画素ａ11〜ａmn、ｂ11〜ｂmnが各々１絵素で構成されている場合を例に挙げて説明を行ったが、本発明の構成はこれに限定されるものではなく、図４に示すように、第１、第２画素ａ11〜ａmn、ｂ11〜ｂmnは、各々複数の絵素に分割（例えば、絵素ａ11-1〜ａ11-3、絵素ｂ11-1〜ｂ11-3といった具合に３分割）されており、セレクタ２３は、分割された複数の絵素に対応して複数入力される映像信号ＶＳ１〜ＶＳ３と非表示用信号ＮＤのいずれか一方をサンプリング回路２４に送出する構成としてもよい。このような構成とすることにより、表示パネル１の精細度を向上し、ディスプレイ画面の表現力を高めることが可能となる。もちろん、第１、第２画素ａ11〜ａmn、ｂ11〜ｂmnの分割数は任意であり、２絵素や４絵素以上に分割しても構わない。
【００４６】
また、本実施形態では、第１ソース線駆動回路２ａと第２ソース線駆動回路２ｂの構成要素として、サンプリング回路２４とホールド回路２５を有している場合を例に挙げて説明を行ったが、本発明の構成はこれに限定されるものではなく、サンプリング回路２４を有しているが、ホールド回路２５を有していない構成としても構わない。さらに、サンプリング回路２４とホールド回路２５は、サンプリングコンデンサＣ１１〜Ｃ１ｍとホールドコンデンサＣ２１〜Ｃ２ｍを有するアナログ映像信号用に限定されるものではなく、デジタル映像信号用であっても良い。
【産業上の利用可能性】
【００４７】
本発明は、１つのディスプレイを異なる方向から見ると異なる映像が現れるデュアル・ビュー・ディスプレイ等に好適に用いることができる。
【図面の簡単な説明】
【００４８】
【図１】は、本発明に係るデュアル・ビュー・ディスプレイの概略構成図である。
【図２】は、ソース線駆動回路２ａの第１実施形態を示す回路図である。
【図３】は、ソース線駆動回路２ａの第２実施形態を示す回路図である。
【図４】は、ソース線駆動回路２ａの第３実施形態を示す回路図である。
【符号の説明】
【００４９】
１    表示パネル
２ａ、２ｂ    第１、第２ソース線駆動回路
３    ゲート線駆動回路
４    光学分離部（スリット）
Ｖ１、Ｖ２    視聴者
２１    シフトレジスタ
２２    論理ゲート回路
２３    セレクタ
２４    サンプリング回路
２５    ホールド回路
２６、２７    スイッチ
ＯＲ１〜ＯＲｍ    論理和回路
Ｓ１１〜Ｓ１ｍ、Ｓ２１〜Ｓ２ｍ    アナログスイッチ
Ｂ１１〜Ｂ１ｍ、Ｂ２１〜Ｂ２ｍ    バッファ
Ｃ１１〜Ｃ１ｍ    サンプリングコンデンサ
Ｃ２１〜Ｃ２ｍ    ホールドコンデンサ
ａ11〜ａmn    第１画素（第１視覚方向用）
ｂ11〜ｂmn    第２画素（第２視覚方向用）
Ｘａ１〜Ｘａｍ    第１ソース線（第１視覚方向用）
Ｘｂ１〜Ｘｂｍ    第２ソース線（第２視覚方向用）
Ｙ１〜Ｙｎ    ゲート線
ＸＳＣ    クロック信号
ＸＳＰ    スタートパルス
Ｐ１〜Ｐｍ    サンプリングパルス
ＳＬＴ    切換信号
ＶＳ    映像信号
ＮＤ    非表示用信号（黒信号）
ＯＥ    出力用パルス
【図１】
2005249985.tif 000003
【図２】
2005249985.tif 000004
【図３】
2005249985.tif 000005
【図４】
2005249985.tif 000006